(57)【要約】【課題】  この発明の目的は、使用者の頭部当接部に応じて長さを調整することができる眼鏡用テンプルを提供することである。【解決手段】  テンプルの鎧側部分を使用者の頭部と当接するモダンで被覆したテンプルにおいて被覆状態を任意に変更することによりテンプル自体を最大限に伸長した状態から最小限に縮小した状態との間で自由に設定でき、これによって使用者に最適な長さのテンプルとすることができる。特に成長過程にある子供用として最適である。【選択図】        図３
2007047283.tif 000002
【特許請求の範囲】
【請求項１】
眼鏡のフレームの両側に鎧を介して回動可能に連結された眼鏡用テンプルであって、この眼鏡用テンプルは、鎧に取り付けられる鎧側部分と、この鎧側部分に被嵌するモダンとからなり、鎧部分に対するモダンの被嵌状態が任意に調整できることにより、モダンの使用者の頭部当接部との当接状態を変更可能としたことを特徴とする眼鏡用テンプル。
【請求項２】
前記鎧側部分には、長手方向のスライド穴が穿設されるとともに、このスライド穴の内側の部分には溝が形成され、この溝内にスライダ部材を移動可能に配設し、前記モダンに鎧側部分を被嵌するための長穴を穿設するとともに、そこを横切る穴を穿設し、この穴を貫通し、かつ頭部が側面側に位置する固定ネジは前記鎧側部分のスライド穴を貫通した後にスライダ部材のネジ穴と螺合し、固定ネジをスライダ部材に緊締した時、それらの間で鎧側部分とモダンとが一体に固定される請求項１記載の眼鏡用テンプル。
【請求項３】
前記鎧側部分のモダン側端面にはスライド穴と連通する孔が穿設され、この孔にモダンの芯金が挿入可能とすることで、芯金が鎧側部分に対するモダンの被嵌を阻止することを防止する請求項２記載の眼鏡用テンプル。
【請求項４】
前記鎧側部分にモダンの被嵌状態を知ることができる模様が設けられている請求項２記載の眼鏡用テンプル。
【請求項５】
前記固定ネジは手動でスライダ部材との間で鎧側部分とモダンとを伸縮可能としたり、あるいは固定したりすることが可能となっている請求項２記載の眼鏡用テンプル。
【発明の詳細な説明】
【技術分野】
【０００１】
この発明は眼鏡用テンプルに関し、特に、長さを変更可能とした眼鏡用テンプルに関するものである。
【背景技術】
【０００２】
従来、眼鏡のテンプルはフロント部の両側に鎧を介して開閉可能に設けられていて、テンプルの後端湾曲部を使用者の頭部に当接調整することで、フロント部に設けられているノーズパッドと頭部当接部との間で眼鏡全体を保持している。
そして、一般的なテンプルにあっては予めテンプルを長めに製造してあり、使用者の耳部の位置、すなわち頭部当接部の位置に応じて切断して長さ調整をしていた。
【０００３】
また、テンプルの後端部に設けたモダンの頭部当接部を伸縮させることでテンプルの長さを調整するものとして特開２００３−３１５７４５号に示すものが知られている。
【０００４】
【特許文献１】特開２００３−３１５７４５号公報
【発明の開示】
【発明が解決しようとする課題】
【０００５】
しかしながら、予め長めに製造しておいて使用者に応じて切断するタイプのものは一旦切断した場合には延ばすことができず、特に成長過程の子供の場合には頻繁に買い換える必要が生じ、多大な出費になってしまうという問題点を有していた。
また、前記特許文献１に示すものにあっては、テンプル１０の後端部に、テンプル１０の長さ方向に伸縮可能、かつ、その伸縮状態に保持可能に頭部当接部２２を配設し、この頭部当接部２２の伸縮状態に応じてフロント部に設けられているノーズパッドと耳部の裏側に接触する頭部当接部との間で眼鏡全体を保持している。
【０００６】
前記テンプル１０には凹部１０Ａを形成するとともに、この内部に板バネ３０を位置してある。この板バネ３０には、頭部当接部２２に設けたボタン孔２３、２４、２５、２６に位置し得る位置決めボタン３３が設けられている。このように構成されたテンプル１０と頭部当接部２２との伸縮を行う場合には、ボタン孔内に微細な工具を位置して位置決めボタン３３を、嵌合穴２１Ａの内方にへこませて縮小させ、これにより位置決めボタン３３が次のボタン孔に位置するまでテンプル１０と頭部当接部２２とを伸縮することができるようになる。
【０００７】
しかしながら、上記のような特許文献１に示すものにあっては、ボタン孔２３、２４、２５、２６が一定の間隔で穿設されているのでその間隔ごとにしか伸縮させることができず、隣接し合うボタン孔の間の距離の場合には設定することができないので、使用者に応じて最適な長さ調整をすることができないという問題点を有していた。
【０００８】
この発明の目的は、所定の長さ内において自由に伸縮させることができるとともに、その長さに固定することができ、これにより、使用者に応じて最適なテンプルの長さ調整をすることができる眼鏡用テンプルを提供することにある。
【課題を解決するための手段】
【０００９】
上記の問題点を解決するためにこの発明は、眼鏡のフレームの両側に鎧を介して回動可能に連結された眼鏡用テンプルであって、この眼鏡用テンプルは、鎧に取り付けられる鎧側部分と、この鎧側部分に被嵌するモダンとからなり、鎧部分に対するモダンの被嵌状態が任意に調整できることにより、モダンの使用者の頭部当接部との当接状態を変更可能とした手段を採用したものである。
【００１０】
そして前記鎧側部分には、長手方向のスライド穴が穿設されるとともに、このスライド穴の内側の部分には溝が形成され、この溝内にスライダ部材を移動可能に配設し、前記モダンに鎧側部分を被嵌するための長穴を穿設するとともに、そこを横切る穴を穿設し、この穴を貫通し、かつ頭部が側面側に位置する固定ネジは前記鎧側部分のスライド穴を貫通した後にスライダ部材のネジ穴と螺合し、固定ネジをスライダ部材に緊締した時、それらの間で鎧側部分とモダンとを一体に固定するようにした。
【００１１】
また、前記鎧側部分のモダン側端面にはスライド穴と連通する孔が穿設され、この孔にモダンの芯金が挿入可能とすることで、芯金が鎧側部分に対するモダンの被嵌を阻止することを防止するようにし、前記鎧側部分にモダンの被嵌状態を知ることができる模様を配設した。
【００１２】
さらに、前記固定ネジは手動でスライダ部材との間で鎧側部分とモダンとを伸縮可能としたり、あるいは固定可能としたものである。
【発明の効果】
【００１３】
この発明は前記の構成を有しているので、テンプルの外側に設けられた固定ネジを緩めることでテンプルに対してモダンを伸縮可能とし、しかも、その伸縮状態に固定することができる。したがって、使用者の頭部当接部に応じて最適なテンプル長さとすることができる。
【発明を実施するための最良の形態】
【００１４】
以下、この発明の実施の形態について説明する。図１はこの発明による眼鏡用テンプルが配設された眼鏡を示す正面図、図２には平面図が示されている。図３（ａ）（ｂ）は図２に示すものの、テンプルが縮小した状態および伸長した状態を示す右側面図、図４はテンプルが伸長した場合の鎧側部分とモダンとの連結部を示す右側面図、および透視図、図５はテンプルが縮小した場合の鎧側部分とモダンとの連結部を示す右側面図、および透視図、図６は左側のテンプルとモダンとを分離した場合を示す概略右側面図、図７は前記４のＩ−Ｉ線に沿って見た断面図である。
【００１５】
図１および図２において、眼鏡１は一対のリム２、２がブリッジ３によって連結され、各リム２、２の外側にはそれぞれ鎧４、４および蝶番５、５を介してテンプル６、６が取り付けられている。
なお、７、７は各リム２、２の内側に取り付けられて掛ける人の鼻の側部に当接するノーズパッド、８、８はテンプル６、６の後端部に設けられてテンプルの一部を構成するモダン、Ａ、Ａは両リム２、２で取り付けられているレンズである。
【００１６】
図３（ａ）（ｂ）にはテンプルが縮小した状態および伸長した状態が示されていて、同図から明らかなようにテンプル６の鎧側の部分に対してモダン８が大きく被覆したり、小さく被覆したりすることによりテンプル６自体の長さが可変となっている。
【００１７】
すなわち、図４〜図７から明らかなようにテンプル６の鎧側部分６ａは、後端が湾曲状に形成されるとともに、その側面に長手方向を向くスライド穴９が穿設され、このスライド穴９の内側の部分には、スライド穴９の周縁部を覆うようにして溝部１０が形成されている。
そして、この溝部１０内には中央部にネジ孔１１ａを有するスライダ部材１１が移動可能に位置しており、また、前記後端の湾曲状の部分にはスライド穴９に連通する孔１２が穿設されている。
【００１８】
一方、前記テンプル６の鎧側部分６ａの後端部を被覆するモダン８のうちの後端部８ｂは図３に示すように使用者の頭部に当接するように湾曲しており、また、鎧側部分６ａの後端部を被覆するモダン８の部分には、長穴８ａが穿設されている。
【００１９】
そして、このモダン８に穿設された長穴８ａの長手方向の深さは、テンプル６のうちの鎧側部分６ａを被覆した時に、スライド穴９が内部に位置するような深さとなっている。
【００２０】
そして、前記モダン８がテンプル６のうちの鎧側部分６ａの後端部を最小限に被覆した時、すなわち、テンプル６が最大限に伸長した時（図４参照）の前記スライド穴９の奥側に対向するモダン８の側面の部位には穴１５が穿設され、この穴１５にはワッシャ１３を介して固定ネジ１４が設けられ、この固定ネジ１４のネジ軸は前記スライド穴９を貫通して、溝部１０内に位置するスライダ部材１１のネジ孔１１ａと螺合している（図７参照）。
【００２１】
したがって、図７に示すように固定ネジ１４を締め付けることにより、固定ネジ１４と溝部１０内に位置するスライダ部材１１との間でテンプル６の鎧側部分６ａとモダン８とを固定し、その状態のテンプル６の長さとすることができる。
【００２２】
一方、前記テンプル６の長さを最小限にする場合には、固定ネジ１４を緩めてテンプル６の鎧側部分６ａをモダン８の長穴８ａ内に押し込むとスライダ部材１１がスライド穴９の手前側、すなわち、テンプル６が最小限の縮小した状態で停止する（図５参照）。したがって、この状態で固定ネジ１４を締め付ければテンプル６の長さは最小限に固定されるものである。
【００２３】
なお、スライド穴９に連通する孔１２は、モダン８の中心部に芯金１６が埋設されているタイプのものの場合であっても、この芯金１６によってテンプル６の鎧側部分６ａに対するモダン８の被覆が邪魔されることは防止できる。
【００２４】
図８〜図１１は前記固定ネジの他の実施の形態を示している。
図８に示すものにあってはドライバ等を使用して回転する固定ネジ１４を示し、図９に示すものにあっては固定ネジ１４自体に配設してある輪部１４ａを用いて固定ネジを回転させることができ、図１０に示すものにあっては、固定ネジ１４の一部を摘まみ易くして道具を使用することなく回転させることができ、さらに、図１１に示すものにあっては、コイン等を用いて回転させることができる固定ネジを示してある。
【００２５】
なお、前記実施の形態においては、テンプルのうちの鎧側部分をモダンが被覆するようにし、任意の被覆状態に固定するために、鎧側部分に設けたストッパ部材とモダンの左右側面に設けた固定ネジとの間を締め付けることで鎧側部分とモダンとを固定するように構成したが、モダンに設ける固定ネジはモダンのどの面であっても良い。また、モダン自体が芯金がある場合には、鎧側部分の後端に長穴に連通する孔を穿設しておくことでこの孔内に芯金が挿通可能として、芯金がテンプルの鎧側部分とモダンとの伸縮を邪魔することを防止したものである。
さらに、左右の鎧側部分にそれぞれ模様を施すことにより、この模様のうちの同様の部分にモダンを位置して固定すれば、同一の長さとすることができる。
【００２６】
この発明は前記のように、眼鏡のテンプルの鎧側部分に、モダンが被覆するように構成し、この被覆状態を任意の長さにすることができるようにしたので、テンプル自体の長さを任意に調整することができる。これにより、使用者によって異なる頭部当接部までの調整を行うことができる。しかも、この調整はネジを緩めた後の所望の長さとしてネジを固定するだけなので操作が非常に簡単である。したがって、テンプルの長さが固定されている場合には成長過程の子供の場合にはすぐに合わなくなってしまうが、この発明によるテンプルにあっては確実に合わせることができる。また、一定の長さ毎にしか長さ調整を行えないテンプルにあっては、成長過程における微妙な調整はできなかったが、この発明によるテンプルにあっては微調整をも行えるので常に最適な長さとして頭部当接部までの長さを確実に調整することができるという効果を有している。
【図面の簡単な説明】
【００２７】
【図１】この発明による眼鏡用テンプルを取り付けるための眼鏡を示す概略正面図である。
【図２】図１に示すものの概略平面図である。
【図３】（ａ）はテンプルの長さを短くした状態を示す右側面図である。（ｂ）はテンプルの長さを長くした状態を示す右側面図である。
【図４】図３（ｂ）に示すものの拡大右側面図である。
【図５】図３（ａ）に示すものの拡大右側面図である。
【図６】図２に示すものの左側テンプルについてテンプルの鎧側部分に対してモダンが被嵌する状態を右側面方向から見た概略図である。
【図７】図４に示すＩ−Ｉ線に沿って見た概略断面図である。
【図８】鎧と、テンプルの鎧側部分とモダンとの連結状態を示し、固定ネジの例を示す概略説明図である。
【図９】鎧と、テンプルの鎧側部分とモダンとの連結状態を示し、固定ネジの他の例を示す概略説明図である。
【図１０】鎧と、テンプルの鎧側部分とモダンとの連結状態を示し、固定ネジのさらに他の例を示す概略説明図である。
【図１１】鎧と、テンプルの鎧側部分とモダンとの連結状態を示し、固定ネジのさらに他の例を示す概略説明図である。
【符号の説明】
【００２８】
１……眼鏡
２……リム
３……ブリッジ
４……鎧
５……蝶番
６……テンプル
６ａ……鎧側部分
７……ノーズパッド
８……モダン
８ａ……長穴
８ｂ……後端部
９……スライド穴
１０……溝部
１１……スライダ部材
１１ａ……ネジ孔
１２……孔
１３……ワッシャ
１４……固定ネジ
１４ａ……輪部
１５……穴
１６……芯金
Ａ……レンズ
【図１】
2007047283.tif 000003
【図２】
2007047283.tif 000004
【図３】
2007047283.tif 000005
【図４】
2007047283.tif 000006
【図５】
2007047283.tif 000007
【図６】
2007047283.tif 000008
【図７】
2007047283.tif 000009
【図８】
2007047283.tif 000010
【図９】
2007047283.tif 000011
【図１０】
2007047283.tif 000012
【図１１】
2007047283.tif 000013